(57)【要約】【課題】将来の事項に関してユーザに対して気づきを促す提案を行うことができる技術を提供する。【解決手段】ユーザに関連付けられたカレンダー情報を取得するカレンダー情報取得部（１５）と、上記カレンダー情報を参照してユーザへの提案内容を決定する提案内容決定部（１７）と、提案内容を報知する電気機器（２０）に対して、提案内容を示す提案内容情報を提供する提案内容提供部（１８）を備えるサーバ（１０）。【選択図】図２
2015197812.tif 000002
【特許請求の範囲】
【請求項１】
ユーザに関連付けられたカレンダー情報を取得するカレンダー情報取得手段と、
上記カレンダー情報を参照して上記ユーザへの提案内容を決定する提案内容決定手段と、
上記提案内容を報知する報知機器に対して、上記提案内容を示す提案内容情報を提供する提案内容提供手段と、
を備えることを特徴とするサーバ。
【請求項２】
上記提案内容決定手段は、上記提案内容を報知可能な期間である報知期間を、当該提案内容に関連付けて管理しており、
上記提案内容提供手段は、上記報知期間において、上記報知機器に対して上記提案内容を示す提案内容情報を提供することを特徴とする請求項１に記載のサーバ。
【請求項３】
ユーザによって操作された電気機器と、当該操作の内容とを示す操作情報を取得する操作情報取得手段をさらに備え、
上記操作情報取得手段が上記操作情報を取得したことをトリガーとして、上記提案内容決定手段は、上記ユーザへの提案内容を決定することを特徴とする請求項１または２に記載のサーバ。
【請求項４】
上記提案内容決定手段は、上記操作情報取得手段が取得した操作情報を参照して上記ユーザへの提案内容を決定することを特徴とする請求項３に記載のサーバ。
【請求項５】
上記提案内容提供手段は、上記操作情報取得手段が取得した操作情報が示す電気機器に対して、上記提案内容情報を提供することを特徴とする請求項３または４に記載のサーバ。
【請求項６】
上記提案内容には、上記カレンダー情報に含まれる入力内容の少なくとも一部が含まれることを特徴とする請求項１〜５の何れか１項に記載のサーバ。
【請求項７】
上記入力内容は、カテゴリー分けされて管理されており、上記提案内容には、上記入力内容のカテゴリーに応じた提案が含まれていることを特徴とする請求項６に記載のサーバ。
【請求項８】
請求項１から７のいずれか１項に記載のサーバとしてコンピュータを機能させるためのプログラムであって、コンピュータを上記各手段として機能させるためのプログラム。
【請求項９】
ユーザに関連付けられたカレンダー情報を取得するカレンダー情報取得工程と、
上記カレンダー情報を参照して上記ユーザへの提案内容を決定する提案内容決定工程と、
上記提案内容を報知する報知機器に対して、上記提案内容を示す提案内容情報を提供する提案内容提供工程と、
を含むことを特徴とする提案方法。
【請求項１０】
サーバと報知機器とを備える提案システムであって、
上記サーバは、
ユーザに関連付けられたカレンダー情報を取得するカレンダー情報取得手段と、
上記カレンダー情報を参照して上記ユーザへの提案内容を決定する提案内容決定手段と、
上記提案内容を報知する上記報知機器に対して、上記提案内容を示す提案内容情報を提供する提案内容提供手段と、を備え、
上記報知機器は、
上記提案内容情報を取得する提案内容取得手段と、
上記提案内容取得手段が取得した提案内容情報が示す提案内容を報知する報知手段と、を備えることを特徴とする提案システム。
【請求項１１】
ユーザから受け付けた操作を示す操作情報を出力する操作情報出力手段と、
上記操作情報を参照して決定された提案内容を示す提案内容情報を取得する提案内容取得手段と、
上記提案内容取得手段が取得した提案内容情報が示す提案内容を報知する報知手段と、を備えることを特徴とする報知機器。
【請求項１２】
請求項１１に記載の報知機器としてコンピュータを機能させるためのプログラムであって、コンピュータを上記各手段として機能させるためのプログラム。
【発明の詳細な説明】
【技術分野】
【０００１】
本発明は、報知機器から提案内容を報知させるサーバ、プログラム提案方法、提案システム、およびに当該報知機器に関する。
【背景技術】
【０００２】
従来、宅内に設置している電気機器を利用して、ユーザに対して提案を行う技術が開示されている。
【０００３】
例えば、特許文献１には、電子機器の動作に関する動作情報および当該電子機器が動作した時刻に関する時刻情報を有する動作時刻情報と、電子機器が動作する場合の制約に関する制約情報とに基づいて、２以上の電子機器を動作させるスケジュールを提案する情報処理装置が開示されている。
【先行技術文献】
【特許文献】
【０００４】
【特許文献１】特開２００４−２５９１１６号公報（２００４年９月１６日公開）
【発明の概要】
【発明が解決しようとする課題】
【０００５】
しかしながら、特許文献１に記載の技術は、電子機器の動作履歴に基づいて電子機器を動作させるスケジュールを提案するのみであるので、将来の事項に関してユーザに対して気づきを促すという点で課題を有している。
【０００６】
本発明は、上記の課題に鑑みてなされたものであり、その目的は、将来の事項に関してユーザに対して気づきを促す提案を行うことができる技術を提供することにある。
【課題を解決するための手段】
【０００７】
上記の課題を解決するために、本発明の一態様に係るサーバは、ユーザに関連付けられたカレンダー情報を取得するカレンダー情報取得手段と、上記カレンダー情報を参照して上記ユーザへの提案内容を決定する提案内容決定手段と、上記提案内容を報知する報知機器に対して、上記提案内容を示す提案内容情報を提供する提案内容提供手段と、を備える。
【０００８】
また、上記の課題を解決するために、本発明の一態様に係る提案方法は、ユーザに関連付けられたカレンダー情報を取得するカレンダー情報取得工程と、上記カレンダー情報を参照して上記ユーザへの提案内容を決定する提案内容決定工程と、上記提案内容を報知する報知機器に対して、上記提案内容を示す提案内容情報を提供する提案内容提供工程と、を含む。
【０００９】
また、上記の課題を解決するために、本発明の一態様に係る提案システムは、サーバと電気機器とを備える提案システムであって、上記サーバは、ユーザに関連付けられたカレンダー情報を取得するカレンダー情報取得手段と、上記カレンダー情報を参照して上記ユーザへの提案内容を決定する提案内容決定手段と、上記提案内容を報知する報知機器に対して、上記提案内容を示す提案内容情報を提供する提案内容提供手段と、を備え、上記電気機器は、上記提案内容情報を取得する提案内容取得手段と、上記提案内容取得手段が取得した提案内容情報が示す提案内容を報知する報知手段と、を備える。
【００１０】
また、上記の課題を解決するために、本発明の一態様に係る電気機器は、ユーザから受け付けた操作を示す操作情報を出力する操作情報出力手段と、上記操作情報を参照して決定された提案内容を示す提案内容情報を取得する提案内容取得手段と、上記提案内容取得手段が取得した提案内容情報が示す提案内容を報知する報知手段と、を備える。
【発明の効果】
【００１１】
本発明の一態様によれば、将来の事項に関してユーザに対して気づきを促す提案を行うことができる。
【図面の簡単な説明】
【００１２】
【図１】本発明の実施形態１に係る提案システムを模式的に示す図である。
【図２】本発明の実施形態１に係る提案システムの構成を示すブロック図である。
【図３】本発明の実施形態１に係る提案システムのハードウェア構成の概略を示すブロック図である。
【図４】本発明の実施形態１に係る提案システムにおけるカレンダーテーブルを示す図である。
【図５】本発明の実施形態１に係る提案システムにおいて、カレンダーテーブルを更新する処理の流れを示すシーケンス図である。
【図６】本発明の実施形態１に係る提案システムにおいて、カレンダーテーブルを更新するための画面を示す図である。
【図７】本発明の実施形態１に係る提案システムにおける生活提案テーブルを示す図である。
【図８】本発明の実施形態１に係る提案システムにおいて、提案内容を決定する処理の流れを示すシーケンス図である。
【図９】本発明の実施形態１に係る提案システムにおいて、提案内容を決定する処理の流れを示すシーケンス図である。
【図１０】本発明の実施形態２に係る提案システムにおいて、冷蔵庫が提案内容を報知する様子を示す図である。
【発明を実施するための形態】
【００１３】
〔実施形態１〕
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１４】
（提案システム１）
図１は、本発明の実施形態１に係る提案システム１を模式的に示す図である。提案システム１は、図１に示すように、サーバ１０と、冷蔵庫２０ａ、エアコン２０ｂ、およびロボット掃除機２０ｃ（以下、電気機器２０と総称する）と、スマートフォン３０ａおよびＰＣ３０ｂ（以下、カレンダー更新情報入力装置３０と総称する）と、によって構成されている。
【００１５】
提案システム１では、サーバ１０は、カレンダー更新情報入力装置３０から取得するカレンダー情報を参照することによって提案内容を決定する。そして、サーバ１０は、決定した提案内容を、電気機器２０から報知させることにより、ユーザに対して提案することができる。提案システム１の詳細について、図２を用いて説明する。図２は、本発明の実施形態１に係る提案システム１の構成を示すブロック図である。
【００１６】
ここで、カレンダー情報とは、ユーザのスケジュールや天気予報といった将来に関する情報を含む情報である。カレンダー情報に含まれる情報は、例えば、カレンダーテーブルとしてテーブル形式で管理される。ただし、これは本実施形態を限定するものではなく、カレンダー情報はテーブル形式以外の形式で管理されていてもよい。
【００１７】
（サーバ１０）
図２に示すように、サーバ１０は、サーバ通信部１１、サーバ制御部１２、カレンダーテーブル記憶部１３、および生活提案テーブル記憶部１４を備えている。
【００１８】
サーバ通信部１１は、ネットワーク２を介して、電気機器２０およびカレンダー更新情報入力装置３０とデータの送受信をすることができる機能を備えている。
【００１９】
カレンダーテーブル記憶部１３は、カレンダーテーブルを記憶する。カレンダーテーブルに含まれる情報は、カレンダー更新情報入力装置３０からカレンダー更新情報を取得することにより、変更可能な構成である。カレンダーテーブルを更新する処理の詳細については、後述する。
【００２０】
生活提案テーブル記憶部１４は、提案情報をテーブル形式にした生活提案テーブルを記憶する。生活提案テーブルの詳細については、後述する。
【００２１】
サーバ制御部１２は、サーバ１０の各構成を統括的に制御するものである。サーバ制御部１２の詳細について、以下に説明する。
【００２２】
（サーバ制御部１２）
サーバ制御部１２は、図２に示すように、カレンダー情報取得部（カレンダー情報取得手段）１５、操作情報取得部（操作情報取得手段）１６、提案内容決定部（提案内容決定手段）１７、および提案内容提供部（提案内容提供手段）１８としても機能する。
【００２３】
カレンダー情報取得部１５は、サーバ通信部１１を制御し、サーバ通信部１１が受信したカレンダー更新情報を取得し、当該カレンダー更新情報に含まれるカレンダー情報をカレンダーテーブルに反映させる。また、カレンダーテーブル記憶部１３から、カレンダー情報を取得し、サーバ通信部１１を介して当該カレンダー情報をカレンダー更新情報入力装置３０に送信する。
【００２４】
操作情報取得部１６は、サーバ通信部１１を制御し、サーバ通信部１１が受信した操作情報を取得する。ここで、操作情報とは、電気機器２０から受信する情報であり、電気機器２０を示す情報と、電気機器２０が受け付けた操作の内容とを示す情報とが含まれる。ここで、電気機器２０を示す情報とは、候補となる１または複数の電気機器の中で何れの電気機器であるのかを示す情報のことを指す。
【００２５】
提案内容決定部１７は、カレンダーテーブル記憶部１３に記憶されているカレンダーテーブルと、生活提案テーブル記憶部１４に記憶されている生活提案テーブルとを参照し、ユーザへの提案内容を決定する。提案内容決定部１７が提案内容を決定する処理の詳細については、後述する。
【００２６】
提案内容提供部１８は、提案内容決定部１７によって決定された提案内容を示す提案内容情報を、サーバ通信部１１を介して電気機器２０に提供する。
【００２７】
（電気機器２０）
図２に示すように、電気機器２０は、電気機器通信部２１および電気機器制御部２２を備えている。
【００２８】
電気機器通信部２１は、ネットワーク２を介して、サーバ２０とデータの送受信をすることができる機能を備えている。
【００２９】
電気機器制御部２２は、電気機器２０の各構成を統括的に制御するものである。電気機器制御部２２の詳細について、以下に説明する。
【００３０】
（電気機器制御部２２）
電気機器制御部２２は、図２に示すように、操作受付部２３、操作情報出力部（操作情報出力手段）２４、提案内容取得部（提案内容取得手段）２５、および報知部（報知手段）２６としても機能する。
【００３１】
操作受付部２３は、ユーザからの操作を受け付け、電気機器２０と、受け付けた操作の内容とを示す操作情報を出力する。
【００３２】
操作情報出力部２４は、操作受付部２３が出力した操作情報を、電気機器通信部２１を介してサーバ２０に出力する。
【００３３】
提案内容取得部２５は、電気機器通信部２１を制御し、電気機器通信部２１が受信した提案内容情報を取得する。
【００３４】
報知部２６は、提案内容取得部２５が取得した提案内容情報が示す提案内容を報知する。報知部２６が提案内容を報知する方法として、例えば、液晶パネル、有機ＥＬディスプレイといったディスプレイに提案内容をテキストまたは画像として表示する方法や、スピーカから提案内容を音声出力する方法が挙げられる。
【００３５】
なお、図１に示すように、実施形態１では、電気機器２０の例として冷蔵庫、エアコン、ロボット掃除機を挙げているが、本明細書における電気機器は、これらに限定されるものではない。本明細書における電気機器は、ユーザが日常利用する電気機器の何れであってもよく、上記の例の他に、テレビ、空気清浄器、扇風機、ビデオレコーダ、オーディオプレーヤー、洗濯機、美容家電、炊飯器、電子レンジ、オーブン、食器洗浄機等が挙げられる。また、近年は、ＨＥＭＳ（Home Energy Management System）と呼ばれる、家庭の電力を管理するシステムおよびＨＥＭＳを操作するためのデバイスも存在し、当該システムやデバイスも、電気機器の例として挙げることができる。
【００３６】
実施形態１では、電気機器２０は提案内容を報知する報知機器として機能するため、本明細書における電気機器のうち、報知部２６を備える電気機器を用いて説明している。しかしながら、ユーザが操作することで日常の利便性、健康、および節約効果を向上させる等、ユーザの生活をサポートするいかなる電気機器も、本明細書における電気機器となり得る。例えば、後述する実施形態３では、報知部２６を備えない電気機器が操作情報を送信する構成を例に挙げている。
【００３７】
（カレンダー更新情報入力装置３０）
図２に示すように、カレンダー更新情報入力装置３０は、装置通信部３１、入力受付部３２、操作情報出力部３３、表示制御部３４、および表示部３５を備えている。
【００３８】
装置通信部３１は、ネットワーク２を介して、サーバ２０とデータの送受信をすることができる機能を備えている。
【００３９】
入力受付部３２は、カレンダー更新情報入力装置３０のユーザが入力した情報を受け付け、受け付けた入力情報を出力する。
【００４０】
入力情報出力部３３は、入力受付部３２が出力した入力情報を、装置通信部３１を介してサーバ２０に出力する。
【００４１】
表示制御部３４は、装置通信部３１が受信したカレンダー情報を取得し、カレンダー更新情報を入力する画面を表示するように表示部３５を制御する。
【００４２】
表示部３５は、画像等を表示するディスプレイであり、例えば、バックライトを有した透過型の液晶パネルによって実現できるが、これに限定されず、有機ＥＬディスプレイなど、他のディスプレイによって実現してもよい。
【００４３】
カレンダー更新情報入力装置３０を用いたカレンダーテーブル更新処理について、参照する図面を替えて後述する。
【００４４】
（提案システム１のハードウェア構成）
図３は、本発明の実施形態１に係る提案システム１のハードウェア構成の概略を示すブロック図である。
【００４５】
（サーバ１０のハードウェア構成）
図３に示すように、サーバ１０は、通信部１１０、記憶部１２０、および制御部１３０を備えている。
【００４６】
通信部１１０は、電気機器２０とカレンダー更新情報入力装置３０との通信を可能にするためのインターフェースである。通信部１１０は、上述したサーバ通信部１１の機能を実現する。
【００４７】
記憶部１２０は、主記憶部および補助記憶部を備えている。記憶部１２０の主記憶部として利用可能なデバイスとしては、例えば、半導体ＲＡＭ（random access memory）を挙げることができる。また、記憶部１２０の補助記憶部として利用可能なデバイスとしては、例えば、ハードディスクドライブ（ＨＤＤ）を挙げることができ、補助記憶部には、サーバ１０として動作させるための制御プログラムが可能されている。制御プログラムは、サーバ制御部１２の機能を実現するためのプログラムである。
【００４８】
制御部１３０は、記憶部１２０の主記憶部上に制御プログラムを展開し、展開された制御プログラムに含まれる各種の命令を実行することによって、上述したサーバ制御部１２の機能を実現する。制御部１３０として利用可能なデバイスとしては、ＣＰＵ（Central Processing Unit）を挙げることができる。
【００４９】
（電気機器２０のハードウェア構成）
図３に示すように、電気機器２０は、通信部２１０、記憶部２２０、制御部２３０、報知部２４０、および操作部２５０を備えている。
【００５０】
通信部１１０は、サーバ１０との通信を可能にするためのインターフェースである。通信部１１０は、上述した電気機器通信部２１の機能を実現する。
【００５１】
記憶部２２０は、主記憶部および補助記憶部を備えている。記憶部２２０の主記憶部として利用可能なデバイスとしては、例えば、半導体ＲＡＭを挙げることができる。また、記憶部２２０の補助記憶部として利用可能なデバイスとしては、例えば、ハードディスクドライブ（ＨＤＤ）を挙げることができ、補助記憶部には、電気機器２０として動作させるための制御プログラムが可能されている。制御プログラムは、電気機器制御部２２の機能を実現するためのプログラムである。
【００５２】
制御部２３０は、記憶部２２０の主記憶部上に制御プログラムを展開し、展開された制御プログラムに含まれる各種の命令を実行することによって、上述した電気機器制御部２２の機能を実現する。制御部２３０として利用可能なデバイスとしては、ＣＰＵを挙げることができる。
【００５３】
報知部２４０は、提案内容を報知する装置であり、報知部２４０として利用可能なデバイスとしてはディスプレイおよびスピーカを挙げることができる。
【００５４】
操作部２５０は、電気機器２０に対するユーザ操作を受け付けるためのユーザインターフェースである。操作部２５０として利用可能なデバイスとして、ハードキー、スイッチなどを挙げることができる。
【００５５】
（カレンダー更新情報入力装置３０のハードウェア構成）
図３に示すように、カレンダー更新情報入力装置３０は、通信部３１０、記憶部３２０、制御部３３０、表示部３４０、および操作部３５０を備えている。
【００５６】
通信部３１０は、サーバ１０との通信を可能にするためのインターフェースである。通信部１１０は、上述した装置通信部３１の機能を実現する。
【００５７】
記憶部３２０は、主記憶部および補助記憶部を備えている。記憶部３２０の主記憶部として利用可能なデバイスとしては、例えば、半導体ＲＡＭを挙げることができる。また、記憶部３２０の補助記憶部として利用可能なデバイスとしては、例えば、ハードディスクドライブ（ＨＤＤ）を挙げることができ、補助記憶部には、カレンダー更新情報入力装置３０として動作させるための制御プログラムが可能されている。制御プログラムは、入力受付部３２、入力情報出力部３３、および表示制御部３４の機能を実現するためのプログラムである。
【００５８】
制御部３３０は、記憶部３２０の主記憶部上に制御プログラムを展開し、展開された制御プログラムに含まれる各種の命令を実行することによって、上述した入力受付部３２、入力情報出力部３３、および表示制御部３４の機能を実現する。制御部３３０として利用可能なデバイスとしては、ＣＰＵを挙げることができる。
【００５９】
表示部３４０は、制御部３３０から出力された画像信号が示す画像を表示する装置であり、上述した表示部３５の機能を実現する。
【００６０】
操作部３５０は、カレンダー更新情報入力装置３０に対するユーザ操作を受け付けるためのユーザインターフェースである。操作部３５０として利用可能なデバイスとして、ハードキー、タッチセンサを挙げることができる。
【００６１】
（カレンダーテーブル）
図４は、本発明の実施形態１に係る提案システム１におけるカレンダーテーブルを示す図である。カレンダーテーブルについて、図４を参照して説明する。カレンダーテーブルは、ユーザへの提案内容を決定するために提案内容決定部１７によって参照される。
【００６２】
カレンダーテーブル記憶部１３には、提案システム１の各ユーザに関連付けてカレンダーテーブルが記憶されている。ユーザとカレンダーテーブルとの対応付けは、例えば、ユーザを識別するユーザ識別情報によって行われる構成であってもよいが、これに限定されない。
【００６３】
カレンダーテーブルは、図４に示すように、「入力者」、「入力日」、「出力期間」、「入力内容」、および「出力家電フィルタ」の各項目を含んでいる。また、カレンダーテーブルの各行には、通し番号が付されており、同じ通し番号を付された各項目は互いに関連付けられて管理されている。なお、図４に示す例では、「入力日」の順に通し番号が付されているが、これは本実施形態を限定するものではなく、通し番号は、各列を互いに区別できるものであればよい。
【００６４】
項目「入力者」は、当該カレンダー情報を入力した入力者を示す情報である。「入力者」は提案システム１のユーザと同じ場合もあるし、異なる場合もある。
【００６５】
項目「入力日」は、当該カレンダー情報を入力した日を示す情報である。
【００６６】
項目「出力期間」は、当該カレンダー情報を参照した提案内容を報知するための基準となる期間を示す情報である。カレンダーテーブルにおける「出力期間」とは、後述する「項目内容」が示す事項が生じる期日又は期間のことを指すものであると表現することもできる。
【００６７】
また、出力期間は、例えば、「２０１４／１／１〜２０１４／１／１０」といった複数の日を含む期間であってもよく、また、「２０１４／１／１  １０：００〜２０１４／１／１  １１：００」のように、日付が変わる時刻以外が開始時刻や終了時刻に設定された期間であってもよい。
【００６８】
項目「入力内容」は、「項目内容」、「カテゴリー」、および「要素」を含んでおり、入力者が入力した内容を示している。
【００６９】
「項目内容」は、入力者が入力するテキストの情報である。図４に示す例では、例えば、「新年会」「大寒」「大雪」などが挙げられているが、これらは一例に過ぎず本実施形態を限定するものではない。
【００７０】
「カテゴリー」は、各項目内容のカテゴリーを示す分類情報であり、上述した項目内容の属性を示す情報として捉えることができる。「カテゴリー」は、複数のカテゴリー候補の中から入力者によって選択されるが、これは本実施形態を限定するものではなく入力者がカテゴリーのテキストを直接入力する構成としてもよい。
【００７１】
「要素」は、上述した「カテゴリー」に関連した情報であり、「カテゴリー」に応じて、その選択肢が決定される。例えば、「カテゴリー」が「天候」の場合、「要素」の選択肢として「寒い」「暑い」「注意」等が設定され、「カテゴリー」が「イベント」の場合、「要素」の選択肢とし「食べ過ぎ注意」等が設定される。後述するように、入力者は、これらの選択肢の中から何れかの要素を選択する。なお、「要素」は指定されない場合もある。
【００７２】
このように、「入力内容」は、カテゴリー分けされて管理されており、提案内容には、入力内容のカテゴリーに応じた提案が含まれている。提案システム１は、この構成を備えることにより、ユーザにとってより利便性の高い提案を行うことができる。
【００７３】
項目「出力家電フィルタ」は、電気機器のうち、提案内容を報知可能な電気機器を示す情報である。すなわち、「出力家電フィルタ」として設定されている電気機器は、提案内容を報知する報知機器である。出力家電フィルタは、例えば、図４に示すように、「冷蔵庫」、「調理器」、「洗濯機」、「エアコン」、および「テレビ」のうち何れを報知可能な機器とするかを指定する。図４に示す例においては、報知可能な機器を「○」によって示している。「出力家電フィルタ」は、上述した「入力内容」に応じて定まる構成としてもよいし、入力者が報知可能な機器を選択することによって定まる構成としてもよい。また、「出力家電フィルタ」の一部を「入力内容」に応じて定まる構成とし、他の一部を入力者が入力する構成としてもよい。
【００７４】
（カレンダーテーブルを更新する処理）
図５は、本発明の実施形態１に係る提案システム１において、カレンダーテーブルを更新する処理の流れを示すシーケンス図である。カレンダーテーブル記憶部１３に記憶されているカレンダーテーブルを更新する処理について、図５および図６を用いて説明する。
【００７５】
（ステップＳ１）
まず、カレンダー更新情報入力装置３０の入力受付部３２は、カレンダーテーブルを更新するための画面を表示する旨の入力を受け付ける。なお、カレンダーテーブルを更新するための画面を表示する旨の入力には、ユーザを識別するユーザ識別情報が含まれる。入力受付部３２は、入力された情報を示す入力情報を、入力情報出力部３３に出力する。
【００７６】
（ステップＳ２）
カレンダー更新情報入力装置３０の入力情報出力部３３は、入力受付部３２から、カレンダーテーブルを更新するための画面を表示する旨を示す入力情報を取得すると、装置通信部３１を介し、サーバ１０に対してカレンダー情報の送信を要求する。
【００７７】
（ステップＳ３）
サーバ１０のカレンダー情報取得部１５は、サーバ通信部１１を介して、カレンダー更新情報入力装置３０からカレンダー情報送信の要求を受け付ける。
【００７８】
（ステップＳ４）
カレンダー情報取得部１５は、カレンダー情報送信の要求を受け付けると、カレンダーテーブル記憶部１３から、ユーザ識別情報が示すユーザのカレンダーテーブルに含まれるカレンダー情報を取得する。
【００７９】
（ステップＳ５）
カレンダー情報取得部１５は、取得したカレンダー情報を、カレンダー更新情報入力装置３０に送信する。
【００８０】
（ステップＳ６）
カレンダー更新情報入力装置３０の表示制御部３４は、サーバ１０から送信されたカレンダー情報を、装置通信部３１を介して受信する。
【００８１】
（ステップＳ７）
表示制御部３４は、受信したカレンダー情報から、カレンダーテーブルを更新するための画面を表示する。カレンダーテーブルを更新するための画面を、図６に示す。図６は、本発明の実施形態１に係る提案システム１において表示されるカレンダーテーブルを更新するための画面の図である。カレンダーテーブルを更新する画面では、入力者は、カレンダーテーブルにおける「出力期間」、「項目内容」、「カテゴリー」、「要素」、および「出力家電フィルタ」を入力する。
【００８２】
図６における「日時」に入力された情報が、カレンダーテーブルにおける「出力期間」に対応する。また、図６における「内容」に入力された情報が、カレンダーテーブルにおける「項目内容」に対応する。また、図６における「カテゴリー」に入力された情報が、カレンダーテーブルにおける「カテゴリー」に対応する。また、図６における「要素」に入力された情報が、カレンダーテーブルにおける「要素」に対応する。また、図６における「出力家電」に入力された情報が、カレンダーテーブルにおける「出力家電フィルタ」に対応する。
【００８３】
なお、上述したように、「カテゴリー」は、複数のカテゴリー候補の中から入力者によって選択されてもよく、その場合、例えば、図６における「カテゴリー」を、プルダウンによって選択肢が表示され、入力者が表示された選択肢の中から「カテゴリー」を選択する構成としてもよい。
【００８４】
また、上述したように、「要素」は、「カテゴリー」に応じて選択肢が決定されるため、図６に示すように、表示されている「要素」のうち何れかにチェックを入れて選択する構成であってもよいし、プルダウンによって選択肢が表示され、入力者が表示された選択肢の中から「要素」を選択する構成であってもよい。
【００８５】
また、図６に示すように、「出力家電」には、カレンダーテーブルの「出力家電フィルタ」に設定されている電気機器を表示し、入力者が、表示された電気機器のうち、報知させる電気機器を選択する構成であってもよい。
【００８６】
（ステップＳ８）
カレンダー更新情報入力装置３０の入力受付部３２は、カレンダーテーブルを更新する旨の入力を受け付け、入力情報を入力情報出力部３３に出力する。入力情報出力部３３は、入力受付部３２から出力された入力情報を、カレンダー更新情報として取得する。
【００８７】
（ステップＳ９）
入力情報出力部３３は、カレンダー更新情報を、装置通信部３１を介して、サーバ１０に送信する。
【００８８】
（ステップＳ１０）
サーバ１０のカレンダー情報取得部１５は、カレンダー更新情報入力装置３０から送信されたカレンダー更新情報を、サーバ通信部１１を介して受信する（カレンダー情報取得工程）。
【００８９】
（ステップＳ１１）
カレンダー情報取得部１５は、受信したカレンダー更新情報が示すように、カレンダーテーブルを更新する。
【００９０】
（生活提案テーブル）
図７は、本発明の実施形態１に係る提案システム１における生活提案テーブルを示す図である。生活提案テーブルについて、図７を参照して説明する。生活提案テーブルは、入力装置を用いてユーザが入力する構成としてもよいし、提案システム１の管理者が入力する構成としてもよいし、他の構成でもよい。
【００９１】
生活提案テーブルは、提案システム１がユーザに対して提案する提案内容を含む提案情報の一例である。生活提案テーブルは、現時点において提案内容があるか否かを判定するために提案内容決定部１７によって参照される。そして、現時点において提案内容があると判定された場合、提案内容を決定するために、提案内容決定部１７によって再び参照される。生活提案テーブルは、図７に示すように、「カテゴリー」、「要素」、「出力期間」、「出力機器および操作内容」、「提案内容」、および必要に応じて「＜Ｂ＞の候補」を含んでいる。また、生活提案テーブルの各行には、通し番号が付されており、同じ通し番号を付された各項目は互いに関連付けられて管理されている。
【００９２】
項目「カテゴリー」は、提案内容のカテゴリーを示す情報である。生活提案テーブルの項目「カテゴリー」には、上述したカレンダーテーブルの項目「カテゴリー」の少なくとも一部が含まれる。
【００９３】
項目「要素」は、「カテゴリー」に関連した情報であり、生活提案テーブルの「要素」に設定されている情報が、入力者がカレンダー情報を入力する際に選択可能な選択肢となる。
【００９４】
項目「出力期間」は、上述したカレンダーテーブルにおける「出力期間」が示す期間を基準とした期間であって、提案内容を報知可能な期間（報知期間）を示す情報である。例えば、図７に示す例では、通し番号「１」に出力期間「当日の５時以降で初めて利用したとき」が関連付けられている。これは、カレンダーテーブルにおける「出力期間」が「２０１４／１／３」である場合、２０１４／１／３当日の５時以降で初めて対象電気機器を利用（操作）した時に、提案内容が出力されることを示している。
【００９５】
項目「出力機器および操作内容」は、電気機器２０によって提案内容を報知する処理、または提案内容決定部１７によって提案内容を決定する処理のトリガーとなる情報である。例えば、図７において、通し番号「１」の「出力機器および操作内容」は「冷蔵庫」「開いた時」である。これは、冷蔵庫が開いた時をトリガーとして、提案内容を決定することを示している。
【００９６】
項目「提案内容」は、報知機器から提案する内容を示す情報である。例えば、図７において、通し番号「１」の「提案内容」は「今日は、＜Ａ＞があるね。」である。ここで、＜Ａ＞には、上述したカレンダーテーブルの「項目内容」に設定されているテキストが挿入される。そのため、「提案内容」には、カレンダー情報に含まれる「入力内容」の少なくとも一部が含まれる構成となっている。
【００９７】
項目「＜Ｂ＞の候補」は、項目「提案内容」における＜Ｂ＞に挿入されるテキストの候補である。例えば、項目「＜Ｂ＞の候補」が複数設定され、設定された複数のテキストのうち、何れかがランダムに選択され、「提案内容」の＜Ｂ＞に挿入される構成とすることができる。例えば、図７において、通し番号「２」の「提案内容」は「明日は、＜Ａ＞があるね。たくさん食べそうだから、今日はカロリーの低い＜Ｂ＞を作ってはどうでしょう」であり、「＜Ｂ＞の候補」は「野菜炒め、鶏ササミの生春巻き、鶏胸肉の南蛮漬け」である。ここで、「野菜炒め、鶏ササミの生春巻き、鶏胸肉の南蛮漬け」のうち、「野菜炒め」が選択されると、提案内容は「明日は、＜Ａ＞があるね。たくさん食べそうだから、今日はカロリーの低い野菜炒めを作ってはどうでしょう」となる。なお、「＜Ｂ＞の候補」に設定されるテキストは１つであってもよい。
【００９８】
（提案内容を報知する処理）
図８は、本発明の実施形態１に係る提案システム１において、提案内容を報知する処理の流れを示すシーケンス図である。提案システム１が提案内容を報知する処理について、図８を用いて説明する。なお、提案内容を決定する処理（ステップＳ２４およびステップＳ２５）の詳細については、参照する図面を替えて後述する。
【００９９】
（ステップＳ２１）
まず、電気機器２０の操作受付部２３は、ユーザから受け付けた操作の内容を含む操作情報を、操作情報出力部２４に出力する。
【０１００】
（ステップＳ２２）
電気機器２０の操作情報出力部２２は、操作受付部２３から出力された操作情報を取得し、電気機器通信部２１を介してサーバ１０に送信する。
【０１０１】
（ステップＳ２３）
サーバ１０の操作情報取得部１６は、電気機器２０から送信された操作情報を、サーバ通信部１１を介して受信する。操作情報取得部１６は、受信した操作情報を、提案内容決定部１７に出力する。
【０１０２】
（ステップＳ２４）
サーバ１０の提案内容決定部１７は、操作情報取得部１６から操作情報を取得したことをトリガーとして、提案内容を決定する処理を始める。まず、提案内容決定部１７は、取得した操作情報、カレンダーテーブル記憶部１３に記憶されているカレンダーテーブル、および生活提案テーブル記憶部１４に記憶されている生活提案テーブルを参照し、報知する提案内容があるか否かを判定する。
【０１０３】
（ステップＳ２５）
ステップＳ２４において、「報知する提案内容はある」と判定された場合（ステップＳ２４：ＹＥＳ）、提案内容決定部１７は、提案内容を決定し（提案内容決定工程）、決定した提案内容を示す提案内容情報を、提案内容提供部１８に出力する。
【０１０４】
（ステップＳ２６）
提案内容提供部１８は、提案内容決定部１７から取得した提案内容情報を、サーバ通信部１１を介して、操作情報が示す電気機器である電気機器２０に送信する（提案内容提供工程）。
【０１０５】
（ステップＳ２７）
サーバ１０の提案内容取得部２５は、サーバ１０から送信された提案内容情報を、電気機器通信部２１を介して受信する。提案内容取得部２５は、受信した提案内容情報を、電気機器２０の報知部２６に出力する。
【０１０６】
（ステップＳ２８）
電気機器２０の報知部２６は、提案内容取得部２５から出力された提案内容情報を取得し、当該提案内容情報が示す提案内容を報知する。
【０１０７】
なお、ステップＳ２４において、「報知する提案内容はない」と判定された場合（ステップＳ２４：ＮＯ）、図８に示す処理は終了する。
【０１０８】
（提案内容を決定する処理の詳細）
図９は、本発明の実施形態１に係る提案システム１において、提案内容を決定する処理の流れを示すシーケンス図である。上述したステップＳ２４およびＳ２５の詳細について、図９を用いて説明する。
【０１０９】
（ステップＳ３０）
まず、サーバ１０の提案内容決定部１７は、取得した操作情報が示す電気機器と操作内容とが、生活提案テーブルにおける「出力機器および操作内容」と一致するか否かを判定する。例えば、取得した操作情報が示す電気機器が「冷蔵庫」であり、操作内容が「開いた」であった場合、提案内容決定部１７は、図７に示す生活提案テーブルの「出力機器および操作内容」の項目に「冷蔵庫」及び「開いた時」があるか否かを判定する。
【０１１０】
（ステップＳ３１）
ステップＳ３０において、『取得した操作情報が示す電気機器と操作内容とが、生活提案テーブルにおける「出力機器および操作内容」と一致する』と判定された場合、提案内容決定部１７は、一致する提案情報を選択する。例えば、取得した操作情報が示す電気機器が「冷蔵庫」であり、操作内容が「開いた」であった場合、提案内容決定部１７は、図７に示す生活提案テーブルから、通し番号「１」、「２」、「３」、「６」、および「７」に関連付けられた提案情報を選択する。
【０１１１】
（ステップＳ３２）
提案内容決定部１７は、カレンダーテーブルを参照し、ステップＳ３１において選択された提案情報の「カテゴリー」と一致する「カテゴリー」を含むカレンダー情報があるか否かを判定する。例えば、ステップＳ３１において選択した提案情報のうち、通し番号「１」に関連付けられている「カテゴリー」である「イベント」を含むカレンダー情報があるか否かを判定する。
【０１１２】
（ステップＳ３３）
ステップＳ３２において、『ステップＳ３１において選択した提案情報の「カテゴリー」と一致する「カテゴリー」を含むカレンダー情報がある』と判定された場合（ステップＳ３２：ＹＥＳ）、提案内容決定部１７は、ステップＳ３２において一致したカレンダー情報を選択する。そして、提案内容決定部１７は、選択された提案情報の「要素」は、選択したカレンダー情報の「要素」と一致するか否かを判定する。例えば、提案内容決定部１７は、図４に示すカレンダーテーブルから、「カテゴリー」が「イベント」である通し番号「１」、「７」、および「８」に関連付けられたカレンダー情報を選択する。そして、生活提案テーブルの通し番号「１」に関連付けられた「要素」である「（限定なし）」は、カレンダーテーブルの通し番号「１」、「７」、および「８」に関連付けられた「要素」と一致するか否かを判定する。
【０１１３】
（ステップＳ３４）
ステップＳ３３において、『選択した提案情報の「要素」は、選択したカレンダー情報の「要素」と一致する』と判定された場合、提案内容決定部１７は、選択されたカレンダー情報の「出力期間」を基準として、選択された提案情報の「出力期間」が現時点を含んでいるか否かを判定する。例えば、提案内容決定部１７は、生活提案テーブルの通し番号「１」に関連付けられた「要素」と一致するカレンダーテーブルの通し番号「７」に関連付けられたカレンダー情報を選択する。そして、選択されたカレンダー情報の「出力期間」である「２０１４／４／８」を基準として、選択された提案情報の「出力期間」である「当日（２０１４／４／８）の５時以降で初めて利用した時」が現時点を含んでいるか否かを判定する。また、例えば、選択されたカレンダー情報の「出力期間」が「２０１４／４／８」であり、選択された提案情報の「出力期間」が「前日の１７〜１９時」の場合、提案内容決定部１７は、「２０１４／４／８の１７〜１９時」が現時点を含んでいるか否かを判定する。
【０１１４】
（ステップＳ３５）
ステップＳ３４において、『選択されたカレンダー情報の「出力期間」を基準として、選択された提案情報の「出力期間」が現時点を含んでいる』と判定された場合、提案内容決定部１７は、取得した操作情報が示す電気機器は、選択されたカレンダー情報の「出力家電フィルタ」において選択されているか否かを判定する。例えば、現時点が「２０１４／４／８  ８：００」である場合、「出力期間」である「２０１４／４／８の５時以降で初めて利用した時」に現時点が含まれているので、提案内容決定部１７は、操作情報が示す電気機器である「冷蔵庫」が、カレンダーテーブルの通し番号「７」の「出力家電フィルタ」において選択されているか否かを判定する。
【０１１５】
（ステップＳ３６）
ステップＳ３５において、『取得した操作情報が示す電気機器は、選択されたカレンダー情報の「出力家電フィルタ」において選択されている』と判定された場合、提案内容決定部１７は、選択されたカレンダー情報の「項目内容」に設定されているテキストを、選択された提案情報の提案内容の＜Ａ＞に挿入し、提案内容を決定する。なお、ステップＳ３６において、提案内容決定部１７は、必要に応じて「＜Ｂ＞の候補」を参照し、提案内容を決定する。例えば、カレンダーテーブルの通し番号「７」の「出力家電フィルタ」において「冷蔵庫」が選択されているので、提案情報決定部１７は、選択された通し番号「７」の「項目内容」である「一郎入学式」を、選択された通し番号「１」の提案内容の＜Ａ＞に挿入し、提案内容を「今日は、一郎入学式があるね」に決定する。
【０１１６】
一方、ステップＳ３０において、『取得した操作情報が示す電気機器と操作内容とが、生活提案テーブルにおける「出力機器および操作内容」と一致しない』と判定された場合（ステップＳ３０：ＮＯ）、ステップＳ３２において、『ステップＳ３１において選択した提案情報の「カテゴリー」と一致する「カテゴリー」を含むカレンダー情報がない』と判定された場合（ステップＳ３２：ＮＯ）、ステップＳ３３において、『選択したカレンダー情報の「要素」は、選択した提案情報の「要素」と一致しない』と判定された場合（ステップＳ３３：ＮＯ）、ステップＳ３４において、『選択されたカレンダー情報の「出力期間」を基準として、選択された提案情報の「出力期間」が現時点を含んでいない』と判定された場合（ステップＳ３４：ＮＯ）、およびステップＳ３５において、『取得した操作情報が示す電気機器は、選択されたカレンダー情報の「出力家電フィルタ」において選択されていない』と判定された場合（ステップＳ３５：ＮＯ）、提案内容決定部１７が報知する提案内容はないので、図７に示す処理は終了する。
【０１１７】
なお、ステップＳ３６において決定された提案内容は、操作情報が示す電気機器に提供される。例えば、提案内容決定部１７が、提案内容を「今日は、一郎入学式があるね」に決定し、操作情報が「冷蔵庫」を示す場合、提案内容決定部１７は、サーバ通信部１１を介して提案内容を示す提案内容情報を冷蔵庫２０ａに送信する。冷蔵庫２０ａは、サーバ２０から提案内容情報を受信すると、報知部であるスピーカから提案内容である「今日は、一郎入学式があるね」を示す人工音声を出力する。
【０１１８】
また、提案内容を報知する他の方法として、提案内容を報知する機器がテレビの場合、テレビの電源をｏｎした時に、テレビの画面に提案内容を示すテキスト（例えば、「今日は大寒です。温かいポトフを作ってはいかがですか」）を表示する方法が挙げられる。また、さらに他の例として、提案内容を報知する機器が洗濯機の場合、洗濯機の蓋を開けた時に、洗濯機のスピーカから提案内容を示す人工音声（例えば、「今日は雨だから、乾燥機を使ってね」）を出力する方法が挙げられる。より一般には、電気機器による提案内容の報知は、電気機器の発する人工音声、電気機器の表示する画像、電気機器の発する光、電気機器の振動、電気機器の動き等、またはこれらの組み合わせによって行うことができる。
【０１１９】
また、ステップＳ３１において、提案内容決定部１７が複数の通し番号（例えば、通し番号「１」および「２」）に関連付けられた提案情報を選択した場合、選択した全ての提案情報を参照し、ステップＳ３２〜ステップＳ３５の処理を実行する構成であってもよい。
【０１２０】
また、提案内容決定部１７は、ステップＳ３２〜ステップＳ３５の処理を、順番を入れ替えて実行してもよい。
【０１２１】
このように、本実施形態に係る提案システム１では、サーバ１０は、ユーザに関連付けられたカレンダー情報を取得し、上記カレンダー情報を参照して上記ユーザへの提案内容を決定するので、ユーザにとって利便性の高い提案を行うことができる。
【０１２２】
また、ユーザによって操作された電気機器２０からの操作情報を取得したことをトリガーとして、ユーザへの提案内容を決定するので、ユーザにとって好適なタイミングでユーザに対して提案を行うことができる。
【０１２３】
また、サーバ１０は、操作情報を送信した電気機器２０に対して提案情報を送信する。そのため、ユーザの近くにある電気機器２０から提案内容を報知することができ、ユーザにとって利便性が高まる。
【０１２４】
上記説明から分かるように、提案内容決定部１７が決定する提案内容は、「カテゴリー」「要素」及び「出力機器および操作内容」に応じて異なり得る。また、提案内容は、「出力期間」に応じても異なり得る。このように、提案内容決定部１７は、将来起こり得る事項を鑑みて、多様な提案内容を生成することができるので、ユーザにとって好適に気づきを促すことができると共に、ユーザが親近感を持つ電気機器を実現することができる。
【０１２５】
なお、上述した生活提案テーブルにおける「出力期間」は、提案内容決定部１７が、生活提案テーブルとして提案内容に関連付けて管理しているものであり、提案内容提供部１８は、生活提案テーブルにおける「出力期間」において、電気機器２０に対して提案内容を示す提案内容情報を提供するものであると捉えることができる。
【０１２６】
また、本実施形態におけるサーバ１０は、複数のサーバで構成されてもよい。例えば、サーバ１０をサーバＡおよびサーバＢで構成する場合、サーバＡがサーバ通信部１１およびサーバ制御部１２を備え、サーバＢがカレンダーテーブル記憶部１３および生活提案テーブル記憶部１４を備える構成としてもよい。また、例えば、サーバ１０をサーバＡ、サーバＢ，およびサーバＣで構成する場合、サーバＡがサーバ通信部１１およびサーバ制御部１２を備え、サーバＢがカレンダーテーブル記憶部１３を備え、サーバＣが生活提案テーブル記憶部１４を備える構成としてもよい。
【０１２７】
〔実施形態２〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。
【０１２８】
本実施形態では、例えば、図７に示す生活提案テーブルにおいて、項目「提案内容」として「今晩は＜Ａ＞みたい。温かい＜Ｂ＞でもどうですか？＜Ｃ＞はあったかな？」が設定され、「＜Ｂ＞の候補」として、「ポトフ、ビーフシチュー、キムチ鍋」が設定される。さらに、本実施形態では、生活提案テーブルが、「＜Ｂ＞の候補」から選択されたテキストに応じて選択される「＜Ｃ＞の候補」を更に含み、「＜Ｂ＞の候補」において「ビーフシチュー」が選択された場合の「＜Ｃ＞の候補」として「じゃがいも、牛肉、たまねぎ、ルー」等が設定される。また、図４に示すカレンダーテーブルにおいて、項目「項目内容」に「冷え込む」が設定されているものとする。
【０１２９】
このような状況において、提案内容決定部１７は、上述した生活提案テーブルおよびカレンダーテーブルを参照して、＜Ａ＞に挿入されるテキスト「冷え込む」を、提案内容に挿入する。そして、提案内容決定部１７は、「＜Ｂ＞の候補」から、テキストをランダムに選択する。ここで、提案内容決定部１７が「ビーフシチュー」を選択すると、提案内容決定部１７は、「＜Ｃ＞の候補」から、テキストをランダムに選択する。例えば、提案内容決定部１７が、「＜Ｃ＞の候補」から「じゃがいも」を選択した場合、提案内容決定部１７は提案内容を「今晩は冷え込むみたい。温かいビーフシチューでもどうですか？じゃがいもあったかな？」に決定し、提案内容提供部１８は、提案内容を示す提案内容情報を電気機器２０に出力する。提案内容を報知する電気機器２０が冷蔵庫２０ａであった場合、冷蔵庫２０ａが提案内容を報知する様子を図１０に示す。図１０は、本発明の実施形態２に係る提案システム１において、冷蔵庫２０ａが提案内容を報知する様子を示す図である。
【０１３０】
図１０に示すように、冷蔵庫２０ａは、提案内容「今晩は冷え込むみたい。温かいビーフシチューでもどうですか？じゃがいもあったかな？」を人工音声によって出力する。これにより、提案システム１は、提案内容を報知すると共に、ビーフシチューを作るための材料があるか否かをユーザに確認させることができる。
【０１３１】
このように、本実施形態では、生活提案テーブルが追加の項目を含み、当該追加の項目に含まれる複数の候補の何れかを用いて、ユーザに対して問いかけを行う。ここで、問いかけには、提案を実行するために必要なことが含まれる。すなわち、本実施形態に係る提案システム１では、提案を実行するために必要なことを、ユーザに知られることができるため、将来の事項に関してユーザに対して気づきを促すより好適な提案を行うことができる。
【０１３２】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【０１３３】
上述の実施形態において、提案システム１は、操作情報を送信した電気機器に対して提案内容を提供しているが、操作情報を送信した電気機器とは異なる電気機器に対して提案内容を提供する構成であってもよい。
【０１３４】
例えば、ＬＥＤ照明から「点灯」を示す操作情報を、サーバ１０が受信する。そして、サーバ１０は、当該操作情報を取得したことをトリガーとして決定した提案内容を、当該ＬＥＤ装置が設置されている部屋と同じ部屋に設置されているエアコンに提供する。ＬＥＤ照明から「点灯」を示す操作情報を取得するということは、ユーザが、ＬＥＤ照明が設置されている部屋にいることを意味している。そのため、本実施形態に係る提案システム１は、当該ＬＥＤ装置が設置されている部屋と同じ部屋に設置されているエアコンから提案内容を報知させることにより、ユーザに対して好適なタイミングで気づきを促すことができる。
【０１３５】
また、上述した実施形態１、２では、操作情報を送信できる電気機器は報知部２６を備えていたが、本実施形態では、報知部２６を備えていない電気機器が操作情報を送信し、サーバ１０が当該操作情報を受信する構成であってもよい。このような構成であっても、将来の事項に関してユーザに対して気づきを促す提案を行うことができる。
【０１３６】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【０１３７】
図４に示すカレンダーテーブルにおいて、通し番号「２」に関連付けられている「入力者」は天気に関する情報を提供する「Ａ社」であり、提案内容が報知されるユーザＡとは異なる提案システム１のユーザＢである。このように、本実施形態に係る提案システム１は、提案内容が報知されるユーザＡとは異なるユーザＢから、カレンダー情報を取得する構成であってもよく、この構成を備えることにより、提案システム１は、多様な提案内容を生成することができるので、ユーザＡにとって好適に気づきを促すことができる。
【０１３８】
また、ユーザＢは、例えば、広告（「本日は特売日です」等）に関するカレンダー情報を入力することにより、効率良く広告を提供することができる。そのため、本実施形態に係る提案システム１では、ユーザＢにとっても好適なタイミングで、ユーザＡに対して気づきを促すことができる。
【０１３９】
また、提案システム１では、ユーザＢが入力したカレンダー情報を参照して生成される提案内容を出力可能な電気機器を、ユーザＡが予め設定できる構成であってもよい。例えば、天気に関する情報を提供する「Ａ社」が入力するカレンダー情報を参照して生成さえる提案内容を出力可能な電気機器を、ユーザＡがエアコンに限定できる構成であってもよい。
【０１４０】
また、サーバ１０は、自動的にカレンダー情報を更新する構成であってもよい。例えば、天気に関する情報を提供するリンク先を示す情報をサーバ１０が記憶し、所定の間隔で当該リンク先にアクセスする。そして、サーバ１０は、リンク先から天気に関する情報を取得し、取得した情報をカレンダー情報として管理してもよい。
【０１４１】
〔実施形態５〕
サーバ１０のサーバ制御部１２および電気機器２０の電気機器制御部２２は、集積回路（ＩＣチップ）等に形成された論理回路（ハードウェア）によって実現してもよいし、ＣＰＵ（Central Processing Unit）を用いてソフトウェアによって実現してもよい。
【０１４２】
後者の場合、サーバ１０および電気機器２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１４３】
〔まとめ〕
本発明の態様１に係るサーバ（１０）は、ユーザに関連付けられたカレンダー情報を取得するカレンダー情報取得手段（カレンダー情報取得部１５）と、上記カレンダー情報を参照して上記ユーザへの提案内容を決定する提案内容決定手段（提案内容決定部１７）と、上記提案内容を報知する報知機器（電気機器２０）に対して、上記提案内容を示す提案内容情報を提供する提案内容提供手段（提案内容提供部１８）と、を備える。
【０１４４】
上記の構成によれば、ユーザに関連付けられたカレンダー情報を取得し、上記カレンダー情報を参照して上記ユーザへの提案内容を決定するので、将来の事項に関してユーザに対して気づきを促す提案を行うことができる。
【０１４５】
なお、上記報知機器は、電気機器であって、ユーザへの報知手段を備えているもののことを指す。
【０１４６】
本発明の態様２に係るサーバは、上記態様１において、上記提案内容決定手段は、上記提案内容を報知可能な期間である報知期間を、当該提案内容に関連付けて管理しており、上記提案内容提供手段は、上記報知期間において、上記報知機器に対して上記提案内容を示す提案内容情報を提供してもよい。
【０１４７】
上記の構成によれば、上記提案内容決定手段は、上記提案内容を報知可能な期間である報知期間を、当該提案内容に関連付けて管理しており、上記提案内容提供手段は、上記報知期間において、上記報知機器に対して上記提案内容を示す提案内容情報を提供するので、ユーザに対して好適なタイミングで気づきを促すことができる。
【０１４８】
本発明の態様３に係るサーバは、上記態様１または２において、ユーザによって操作された電気機器（２０）と、当該操作の内容とを示す操作情報を取得する操作情報取得手段（操作情報取得部１６）をさらに備え、上記操作情報取得手段が上記操作情報を取得したことをトリガーとして、上記提案内容決定手段は、上記ユーザへの提案内容を決定してもよい。
【０１４９】
上記の構成によれば、ユーザによって操作された電気機器と、当該操作の内容とを示す操作情報を取得する操作情報取得手段をさらに備え、上記操作情報取得手段が上記操作情報を取得したことをトリガーとして、上記提案内容決定手段は、上記ユーザへの提案内容を決定するので、ユーザにとって好適なタイミングでユーザに対して提案を行うことができる。
【０１５０】
本発明の態様４に係るサーバは、上記態様３において、上記提案内容決定手段は、上記操作情報取得手段が取得した操作情報を参照して上記ユーザへの提案内容を決定してもよい。
【０１５１】
上記の構成によれば、上記提案内容決定手段は、上記操作情報取得手段が取得した操作情報を参照して上記ユーザへの提案内容を決定するので、ユーザにとってより利便性の高い提案を行うことができる。
【０１５２】
本発明の態様５に係るサーバは、上記態様３または４において、上記提案内容提供手段は、上記操作情報取得手段が取得した操作情報が示す電気機器に対して、上記提案内容情報を提供してもよい。
【０１５３】
上記の構成によれば、上記提案内容提供手段は、上記操作情報取得手段が取得した操作情報が示す電気機器に対して、上記提案内容情報を提供するので、ユーザに対して好適に気づきを促すことができる。
【０１５４】
本発明の態様６に係るサーバは、上記態様１〜５において、上記提案内容には、上記カレンダー情報に含まれる入力内容の少なくとも一部が含まれていてもよい。
【０１５５】
上記の構成によれば、上記カレンダー情報に含まれる入力内容の少なくとも一部が含まれるので、ユーザにとってより利便性の高い提案を行うことができる。
【０１５６】
本発明の態様７に係るサーバは、上記態様６において、上記入力内容は、カテゴリー分けされて管理されており、上記提案内容には、上記入力内容のカテゴリーに応じた提案が含まれていてもよい。
【０１５７】
上記の構成によれば、上記入力内容は、カテゴリー分けされて管理されており、上記提案内容には、上記入力内容のカテゴリーに応じた提案が含まれているので、ユーザにとってより利便性の高い提案を行うことができる。
【０１５８】
本発明の態様８に係る提案方法は、ユーザに関連付けられたカレンダー情報を取得するカレンダー情報取得工程と、上記カレンダー情報を参照して上記ユーザへの提案内容を決定する提案内容決定工程と、上記提案内容を報知する報知機器に対して、上記提案内容を示す提案内容情報を提供する提案内容提供工程と、を含む。
【０１５９】
上記の構成によれば、上記提案方法は、上記態様１と同様の効果を奏する。
【０１６０】
本発明の態様９に係る提案システム（１）は、サーバ（１０）と報知機器（２０）とを備える提案システムであって、上記サーバは、ユーザに関連付けられたカレンダー情報を取得するカレンダー情報取得手段（カレンダー情報取得部１５）と、上記カレンダー情報を参照して上記ユーザへの提案内容を決定する提案内容決定手段（提案内容決定部１７）と、上記提案内容を報知する上記報知機器に対して、上記提案内容を示す提案内容情報を提供する提案内容提供手段（提案内容提供部１８）と、を備え、上記報知機器は、上記提案内容情報を取得する提案内容取得手段（提案内容取得部２５）と、上記提案内容取得手段が取得した提案内容情報が示す提案内容を報知する報知手段（報知部２６）と、を備える。
【０１６１】
上記の構成によれば、上記提案システムは、上記態様１と同様の効果を奏する。
【０１６２】
本発明の態様１０に係る報知機器（２０）は、ユーザから受け付けた操作を示す操作情報を出力する操作情報出力手段（操作情報出力部２４）と、上記操作情報を参照して決定された提案内容を示す提案内容情報を取得する提案内容取得手段（提案内容取得部２５）と、上記提案内容取得手段が取得した提案内容情報が示す提案内容を報知する報知手段（報知部２６）と、を備える。
【０１６３】
上記の構成によれば、上記報知機器は、上記態様３における電気機器を実現することができる。
【０１６４】
本発明の各態様に係るサーバ（１０）および報知機器（２０）は、コンピュータによって実現してもよく、この場合には、コンピュータを上記サーバおよび上記報知機器が備える各手段として動作させることにより上記サーバおよび上記電気機器をコンピュータにて実現させるサーバおよび電気機器のプログラム、およびそれを記録したコンピュータ読み取り可能な記録媒体も、本発明の範疇に入る。
【０１６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６６】
本発明は、家電などの電気機器から提案内容を報知する提案システムに利用することができる。
【符号の説明】
【０１６７】
１  提案システム
２  ネットワーク
１０  サーバ
１１  サーバ通信部
１２  サーバ制御部
１３  カレンダーテーブル記憶部
１４  生活提案テーブル記憶部
１５  カレンダー情報取得部（カレンダー情報取得手段）
１６  操作情報取得部（操作情報取得手段）
１７  提案内容決定部（提案内容決定手段）
１８  提案内容提供部（提案内容提供手段）
２０  電気機器（報知機器）
２１  電気機器通信部
２２  電気機器制御部
２３  操作受付部
２４  操作情報出力部（操作情報出力手段）
２５  提案内容取得部（提案内容取得手段）
２６  報知部（報知手段）
３０  カレンダー更新情報入力装置
３１  装置通信部
３２  入力受付部
３３  入力情報出力部
３４  表示制御部
３５  表示部
【図１】
2015197812.tif 000003
【図２】
2015197812.tif 000004
【図３】
2015197812.tif 000005
【図４】
2015197812.tif 000006
【図５】
2015197812.tif 000007
【図６】
2015197812.tif 000008
【図７】
2015197812.tif 000009
【図８】
2015197812.tif 000010
【図９】
2015197812.tif 000011
【図１０】
2015197812.tif 000012
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
カレンダー情報を取得するカレンダー情報取得部と、
上記カレンダー情報を参照して、報知機器毎に提案内容を決定する提案内容決定部と、
上記提案内容を報知する報知機器に対して、上記提案内容を示す提案内容情報を提供する提案内容提供部と、を備えることを特徴とするサーバ。
【請求項２】
上記提案内容決定部は、上記提案内容を報知可能な期間を、当該提案内容に関連付けて管理することを特徴とする請求項１に記載のサーバ。
【請求項３】
ユーザが操作した電気機器の操作の内容を示す操作情報を取得する操作情報取得部をさらに備え、
上記操作情報取得部が上記操作情報を取得した後に、上記提案内容決定部は、上記ユーザへの提案内容を決定することを特徴とする請求項１または２に記載のサーバ。
【請求項４】
上記提案内容決定部は、上記操作情報取得部が取得した操作情報を参照して上記ユーザへの提案内容を決定することを特徴とする請求項３に記載のサーバ。
【請求項５】
上記操作情報は、更に、ユーザが操作した電気機器を示すものであり
上記提案内容提供部は、上記操作情報取得部が取得した操作情報が示す電気機器を報知機器として、上記提案内容情報を提供することを特徴とする請求項３または４に記載のサーバ。
【請求項６】
上記提案内容には、上記カレンダー情報に含まれる内容の少なくとも一部が含まれることを特徴とする請求項１〜５の何れか１項に記載のサーバ。
【請求項７】
上記カレンダー情報に含まれる内容は、カテゴリー分けされて管理されており、上記提案内容には、上記内容のカテゴリーに応じた提案が含まれていることを特徴とする請求項６に記載のサーバ。
【請求項８】
カレンダー情報を取得するカレンダー情報取得ステップと、
上記カレンダー情報を参照して、報知機器毎に提案内容を決定する提案内容決定ステップと、
上記提案内容を報知する報知機器に対して、上記提案内容を示す提案内容情報を提供する提案内容提供ステップと、
を含むことを特徴とする提案方法。
【請求項９】
サーバと報知機器とを備える提案システムであって、
上記サーバは、
カレンダー情報を取得するカレンダー情報取得部と、
上記カレンダー情報を参照して、報知機器毎に提案内容を決定する提案内容決定部と、
上記提案内容を報知する上記報知機器に対して、上記提案内容を示す提案内容情報を提供する提案内容提供部と、を備え、
上記報知機器は、
上記サーバから、上記提案内容情報を取得する提案内容取得部と、
上記提案内容取得部が取得した提案内容情報が示す提案内容を報知する報知部と、を備えることを特徴とする提案システム。
【請求項１０】
ユーザから受け付けた操作を示す操作情報を出力する操作情報出力部と、
上記操作情報とカレンダー情報とを参照して決定された提案内容を示す提案内容情報を取得する提案内容取得部と、
上記提案内容取得部が取得した提案内容情報が示す提案内容を報知する報知部と、を備えることを特徴とする報知機器。
【請求項１１】
請求項１０に記載の報知機器としてコンピュータを機能させるためのプログラムであって、コンピュータを上記各部として機能させるためのプログラム。